(57)【特許請求の範囲】
【請求項１】
システムキッチンのカウンタートップ(11)に形成された装着口(12)に落とし込み状態に装着される本体ケース(20)と、
前記本体ケース(20)の上端開口を被蓋する天板(24)と、
前記天板(24)の上面の凹部内で燃焼する前バーナと、
前記前バーナより能力が小さく且つ前記前バーナより後方に位置する後ろバーナと、
前記凹部の内周起立壁(242)の内側に間隔を置いて対向する遮熱板(54)を具備するドロップインコンロにおいて、
前記内周起立壁(242)は、コンロ正面と平行な前辺及び後ろ辺とこれらに直角な一対の横辺から成る平面視矩形状に連続しており、
前記前バーナは、前記前辺と前記横辺が集合するコーナ部の近傍に位置しており、
前記内周起立壁(242)のうち前記コーナ部の近傍の前辺であって前記前バーナに対して前方から対向する部分に向い合う位置と、前記コーナ部の近傍の横辺であって前記前バーナに対して横方向から対向する部分に向い合う位置に前記遮熱板(54)が設けられており、
前記後ろ辺に向い合う位置には前記遮熱板(54)が設けられておらず、
前記内周起立壁(242)の内、前記遮熱板(54)に対向する部分には前記凹部の内外を繋ぐ吸気孔(26)(26)が形成されている、ドロップインコンロ。
【請求項２】
システムキッチンのカウンタートップ(11)に形成された装着口(12)に落とし込み状態に装着される本体ケース(20)と、
前記本体ケース(20)の上端開口を被蓋する天板(24)と、
前記天板(24)の上面の凹部内で燃焼する前バーナと、
前記前バーナの後方で且つコンロ横方向の中央部に配設されている後ろバーナと、
前記凹部の内周起立壁(242)の内側に間隔を置いて対向する遮熱板(54)を具備するドロップインコンロにおいて、
前記内周起立壁(242)は、コンロ正面と平行な前辺及び後ろ辺とこれらに直角な一対の横辺から成る平面視矩形状に連続しており、
前記前バーナは、前記前辺と前記横辺が集合するコーナ部の近傍に位置しており、
前記内周起立壁(242)のうち前記コーナ部の近傍の前辺であって前記前バーナに対して前方から対向する部分に向い合う位置と、前記コーナ部の近傍の横辺であって前記前バーナに対して横方向から対向する部分に向い合う位置に前記遮熱板(54)が設けられており、
前記後ろ辺に向い合う位置には前記遮熱板(54)が設けられておらず、
前記内周起立壁(242)の内、前記遮熱板(54)に対向する部分には前記凹部の内外を繋ぐ吸気孔(26)(26)が形成されている、ドロップインコンロ。
【請求項３】
システムキッチンのカウンタートップ(11)に形成された装着口(12)に落とし込み状態に装着される本体ケース(20)と、
前記本体ケース(20)の上端開口を被蓋する天板(24)と、
前記天板(24)の上面の凹部内に設けられた前バーナと、
前記前バーナが位置する前記凹部の内周起立壁の内側に間隔を置いて対向する遮熱板(54)を具備し、且つ前記天板に着脱自在な枠体とを具備するドロップインコンロにおいて、
前記内周起立壁(242)は、コンロ正面と平行な前辺及び後ろ辺とこれらに直角な一対の横辺から成る平面視矩形状に連続しており、
前記枠体は前後に分割された前枠体と後ろ枠体とから構成されており、
前記前バーナは、前記前辺と前記横辺が集合するコーナ部の近傍に位置しており、
前記内周起立壁(242)のうち前記コーナ部の近傍の前辺であって前記前バーナに対して前方から対向する部分と前記コーナ部の近傍の前記横辺であって前記前バーナに対して横方向から対向する部分に向い合うように前記遮熱板(54)が前記前枠体に設けられており、
前記内周起立壁(242)の内、前記遮熱板(54)に対向する部分には前記凹部の内外を繋ぐ吸気孔(26)(26)が形成されている、ドロップインコンロ。
【発明の詳細な説明】
【０００１】
【発明の属する技術分野】
この発明はシステムキッチンのカウンタートップに装着されるドロップインコンロ、特に、上記カウンタートップへの熱的悪影響を抑え得るようにしたドロップインコンロに関するものである。
【０００２】
【従来の技術】
この種ドロップインコンロは、図７に示すようにシステムキッチンのカウンタートップ(11)に形成された装着口(12)に落とし込み状態に装着されるもので、ドロップインコンロ(2) の本体ケース(20)の上端外周に形成された吊下げフランジ(23)は、上記装着口(12)の周縁に上方から係合するようになっている。上記本体ケース(20)の上端開口には、下方に浅く絞られた天板(24)が被蓋配設されており、該天板(24)は、煮こぼれ貯留用の凹部(241) とその上端から外側に張り出す外周フランジ(243) を具備している。又、天板(24)の底壁(240) にはバーナヘッド(31)に所定の余裕を持って外嵌するバーナ挿通孔(25)が形成されている。又、上記天板(24)には、枠体(52)とその上縁からバーナヘッド(31)の上方に向けて延びる爪片(51)(51)を具備する五徳(5) が載置されている。
【０００３】
このものでは、五徳(5) に鍋(91)を載置してバーナ(3) を燃焼させると、バーナ(3) からの燃焼排気が鍋(91)の底板に沿ってその外周側に流れ、天板(24)の上端開口と鍋底の間隙から外部に排出される。
しかしながら、上記従来のものでは、天板(24)の上面に形成された凹部(241) の内周起立壁(242) がバーナヘッド(31)側に露出しているから、該バーナヘッド(31)の炎孔(32)に形成される炎(33)の輻射熱が内周起立壁(242) の上記露出している部分に直接的に照射される。このことから、上記内周起立壁(242) が温度上昇し易くなり、該内周起立壁(242) の熱がその上端の外周フランジ(243) からカウンタートップ(11)に伝達されてこれが熱的悪影響を受ける。具体的には、上記天板(24)の内周起立壁(242) やその上端の外周フランジ(243) が高温状態になると、これからの伝達熱でカウンタートップ(11)（特に樹脂系等の耐熱性が十分でないもの）の装着口(12)の周囲が加熱変色する場合がある。
【０００４】
特に、カウンタートップ(11)と五徳(5) の頂面の高低差を小さくすることによって前記カウンタートップ(11)の上面をフラットな感じに仕上げてこれら両者間で鍋(91)を円滑にスライドさせ得る形式のドロップインコンロでは、鍋(91)の底で天板(24)の上端開口が閉塞される度合いが高くなる。従って、このものでは鍋(91)と天板(24)の間に熱が籠り易くなって該天板(24)やその周囲のカウンタートップ(11)に与える熱的悪影響が大きくなる。
【０００５】
そこで、上記熱的悪影響を防止するものとして、上記天板(24)の上面に形成された凹部(241) の内周起立壁(242) の内周全域に間隔を置いて対向する遮熱板を設けることも考えられる。
【０００６】
【発明が解決しようとする課題】
しかしなら、かかる改良案のドロップインコンロでは、上記内周起立壁(242) の内周対向部全域に亘って遮熱板を設けるようにしており、バーナ(3) から遠い故に上記輻射熱の影響を受けにくい部分や、天板(24)の凹部(241) 内で燃焼する複数のバーナの内の小能力バーナの近傍である為に上記輻射熱の影響を受けにくい部分にも上記遮熱板を設ける。従って、上記改良案のものでは、必要がない部分にも遮熱板を設ける分だけ、該遮熱板を造る為に無駄に使用される材料が多くなると共に、上記遮熱板を構成する部品が重くなり、これにより、洗浄時等に於ける該部品の取扱いが不便になるという問題があった。
【０００７】
本願発明は上記の点に鑑みて成されたもので、上記遮熱板を構成する部品の軽量が図れるようにして、これの洗浄時等の取扱を容易成らしめることをその課題とする。
【０００８】
【課題を解決するための手段】
上記課題を解決する為の請求項１の発明の技術的手段は、
『システムキッチンのカウンタートップ(11)に形成された装着口(12)に落とし込み状態に装着される本体ケース(20)と、
前記本体ケース(20)の上端開口を被蓋する天板(24)と、
前記天板(24)の上面の凹部内で燃焼する前バーナと、
前記前バーナより能力が小さく且つ前記前バーナより後方に位置する後ろバーナと、
前記凹部の内周起立壁(242)の内側に間隔を置いて対向する遮熱板(54)を具備するドロップインコンロにおいて、
前記内周起立壁(242)は、コンロ正面と平行な前辺及び後ろ辺とこれらに直角な一対の横辺から成る平面視矩形状に連続しており、
前記前バーナは、前記前辺と前記横辺が集合するコーナ部の近傍に位置しており、
前記内周起立壁(242)のうち前記コーナ部の近傍の前辺であって前記前バーナに対して前方から対向する部分に向い合う位置と、前記コーナ部の近傍の横辺であって前記前バーナに対して横方向から対向する部分に向い合う位置に前記遮熱板(54)が設けられており、
前記後ろ辺に向い合う位置には前記遮熱板(54)が設けられておらず、
前記内周起立壁(242)の内、前記遮熱板(54)に対向する部分には前記凹部の内外を繋ぐ吸気孔(26)(26)が形成されている』ものである。
【０００９】
上記手段によれば、前バーナが設けられている天板上面の凹部の内周起立壁(242) の内、該内周起立壁(242) の前辺と横辺（コンロ正面側の辺）が集合するコーナ部近傍に前バーナが設けられていると共に、前記前辺と横辺であって前記前バーナに対して前方及び横方向から対向する部分に向い合う位置に遮熱板(54)が設けられている。従って、内周起立壁(242) に於いて前バーナの炎の輻射熱で加熱され易い部分は、上記遮熱板(54)の遮熱作用によって高温状態になるのが抑えられる。
【００１０】
又、前バーナに比べてその後方の後ろバーナは能力が小さいから、天板(24)の後縁やコンロ横方向の側縁が後ろバーナで加熱昇温される心配はない。
従って、上記技術的手段によれば、天板(24)や本体ケース(20)の全体的な温度上昇が抑えられる。
又、請求項１の発明では、前記内周起立壁(242)の内、前記遮熱板(54)に対向する部分には前記凹部の内外を繋ぐ吸気孔(26)(26)が形成されている。
従って、バーナ燃焼時のドラフトによる空気吸引力で、天板(24)の内周起立壁(242)の外側→吸気孔(26)→内周起立壁(242)とこれに対向する遮熱板(54)の間隙→遮熱板(54)の下端→バーナヘッドと繋がる経路で空気が流入し、該空気の流れに接触する遮熱板(54)やこれに対向する内周起立壁(242)の温度上昇を一層確実に抑えることができる。
上記課題を解決する為の請求項２の発明の技術的手段は、
『システムキッチンのカウンタートップ(11)に形成された装着口(12)に落とし込み状態に装着される本体ケース(20)と、
前記本体ケース(20)の上端開口を被蓋する天板(24)と、
前記天板(24)の上面の凹部内で燃焼する前バーナと、
前記前バーナの後方で且つコンロ横方向の中央部に配設されている後ろバーナと、
前記凹部の内周起立壁(242)の内側に間隔を置いて対向する遮熱板(54)を具備するドロップインコンロにおいて、
前記内周起立壁(242)は、コンロ正面と平行な前辺及び後ろ辺とこれらに直角な一対の横辺から成る平面視矩形状に連続しており、
前記前バーナは、前記前辺と前記横辺が集合するコーナ部の近傍に位置しており、
前記内周起立壁(242)のうち前記コーナ部の近傍の前辺であって前記前バーナに対して前方から対向する部分に向い合う位置と、前記コーナ部の近傍の横辺であって前記前バーナに対して横方向から対向する部分に向い合う位置に前記遮熱板(54)が設けられており、
前記後ろ辺に向い合う位置には前記遮熱板(54)が設けられておらず、
前記内周起立壁(242)の内、前記遮熱板(54)に対向する部分には前記凹部の内外を繋ぐ吸気孔(26)(26)が形成されている』ものであり、
このものでは、後ろバーナはコンロ横方向の中央部に位置している。従って、天板(24)に於ける上記横方向の両側縁は前記後ろバーナで加熱昇温される心配が少ない。又、天板(24)の底壁に於ける後ろバーナの後方部分には、一般的にグリルの排気口等が形成されており、該後ろバーナから天板(24)の後縁までの距離が大きくなっているのが通常であるから、天板(24)の後部は加熱昇温状態になりにくい。
【００１１】
又、前バーナからの輻射熱は請求項１の発明と同様に遮熱板で遮断されて天板(24)が高温状態になるのが抑えられると共に、遮熱板(54)に対向する部分には前記凹部の内外を繋ぐ吸気孔(26)(26)が形成されているから、遮熱板(54)やこれに対向する内周起立壁(242)の温度上昇を一層確実に抑えることができる。
上記課題を解決する為の請求項３の発明の技術的手段は、
『システムキッチンのカウンタートップ(11)に形成された装着口(12)に落とし込み状態に装着される本体ケース(20)と、
前記本体ケース(20)の上端開口を被蓋する天板(24)と、
前記天板(24)の上面の凹部内に設けられた前バーナと、
前記前バーナが位置する前記凹部の内周起立壁の内側に間隔を置いて対向する遮熱板(54)を具備し、且つ前記天板に着脱自在な枠体とを具備するドロップインコンロにおいて、
前記内周起立壁(242)は、コンロ正面と平行な前辺及び後ろ辺とこれらに直角な一対の横辺から成る平面視矩形状に連続しており、
前記枠体は前後に分割された前枠体と後ろ枠体とから構成されており、
前記前バーナは、前記前辺と前記横辺が集合するコーナ部の近傍に位置しており、
前記内周起立壁(242)のうち前記コーナ部の近傍の前辺であって前記前バーナに対して前方から対向する部分と前記コーナ部の近傍の前記横辺であって前記前バーナに対して横方向から対向する部分に向い合うように前記遮熱板(54)が前記前枠体に設けられており、
前記内周起立壁(242)の内、前記遮熱板(54)に対向する部分には前記凹部の内外を繋ぐ吸気孔(26)(26)が形成されている』ものであり、
このものでは、天板(24)に着脱自在な枠体が前枠体と後ろ枠体に分割されており、分割しない一体の枠体に比べて前枠体及び後ろ枠体が軽くなり、洗浄時等の取扱いが容易になる。又、前バーナからの輻射熱は遮熱板(54)で遮断されて天板(24)の温度上昇が抑えられると共に、遮熱板(54)に対向する部分には前記凹部の内外を繋ぐ吸気孔(26)(26)が形成されているから、遮熱板(54)やこれに対向する内周起立壁(242)の温度上昇を一層確実に抑えることができる。
【００１４】
【発明の効果】
以上説明したように、請求項１〜請求項３の発明によれば、天板上面の凹部の内周起立壁(242)を構成する前辺と横辺と後ろ辺の内、バーナ燃焼時の炎からの輻射熱で加熱昇温する心配がある前辺及び横辺に対向する部分に遮熱板(54)を設け、後ろ辺の対向部には前記遮熱板(54)を設けないようにしたから、内周起立壁(242)の内周全域に対向する部分に遮熱板を設ける場合に比べて、遮熱板の配設位置を限定した分だけ、該遮熱板を構成する部品の軽量化を図ることができ、洗浄時等に於ける該部品の取扱いが容易になる。又、遮熱板(54)の配設位置を限定した分だけ該遮熱板を造る為の使用材料を少なくすることができる。
又、吸気孔(26)から流入する空気によって遮熱板(54)やこれに対向するが内周起立壁(242)の温度上昇を一層確実に抑えることができるから、カウンタートップ(11)の装着口(12)の周囲への熱的悪影響を一層小さくすることができる。
【００１５】
請求項３の発明では、枠体を前枠体と後ろ枠体に前後に分割したから、分割していない一体の枠体に比べて前後の枠体が軽くなり、洗浄時等に於ける取扱が一層容易になる。
【００１７】
【発明の実施の形態】
次に、上記した発明の実施の形態を説明する。
図１に示すように、本実施の形態に係るドロップインコンロは、三個のバーナ(3a)(3b)(3c)及びグリル室(60)を備えた本体ケース(20)と、該本体ケース(20)の上端開口を被蓋する天板(24)と、該天板(24)の上面に載置される前後の五徳(56)(57)を具備しており、一方の前五徳(56)を構成する前枠体(560) の内周には遮熱板(54)(54)が垂下連設されている。
【００１８】
以下、各部の詳細を説明する。
［本体ケース(20)について］
図１，図３、及び、図４に示すように、本体ケース(20)は、平面視が矩形状に形成された胴部(20a) と、その上端外周に周設された吊下げフランジ(23)を具備する上端開放の矩形箱状に形成されており、上記吊下げフランジ(23)の周縁には、ゴムパッキン(21)が装着されている。
［天板(24)について］
上記本体ケース(20)の上端開口に被蓋配設される天板(24)は、図１，図３及び図４等に示すように底壁(240) とその外周縁から起立する内周起立壁(242) とから成る煮こぼれ貯留用の凹部(241) と前記内周起立壁(242) の上端から外側に張り出した外周フランジ(243) を具備している。
【００１９】
底壁(240) は、その中央より後方に位置する中段部(244) と、これより前方に形成された下段部(245) を具備している。そして、下段部(245) には、一対のバーナ挿通孔(25)(25)が横方向に間隔を置いて開設されており、中段部(244) の中央部にはひとつのバーナ挿通孔(25)が開設されている。これらバーナ挿通孔(25)(25)(25)の周縁は立ち上がっており、天板(24)に落ちた煮汁が該バーナ挿通孔(25)(25)(25)内に侵入しない様になっている。
【００２０】
又、中段部(244) の更に後方に形成された上段部(246) には、本体ケース(20)内に設けられたグリル用排気筒(62)の先端に対応する排気筒用開口(247) が形成されている。
又、上記底壁(240) の外周縁から起立する内周起立壁(242) に於けるコンロ前部側の前辺たる前壁部(249) とその両端に続く一対の横辺たる側壁部(248) (248) には吸気孔(26)(26)が開設されており、これら吸気孔(26)(26)は、後述する五徳(5) に具備させた遮熱板(54)(54)に対応する位置に形成されている。又、上記内周起立壁(242) の上部には、後述する前後の五徳(56)(57)を載置する為の段部(22)が周設されている。尚、上記内周起立壁(242) は、上記前壁部(249) →一方の側壁部(248) →後ろ辺たる後壁部(300) →他方の側壁部(248) と繋がる平面視矩形状に連続している。
［バーナについて］
上記本体ケース(20)には、能力の相違する三個のバーナ(3a)(3b)(3c)が配設されていると共に、各バーナ(3a)(3b)(3c)のバーナヘッド(31a) (31b) (31c) は、天板(24)に於ける凹部(241) 内に於いて三角形の各頂点となる位置に配設されている。具体的には、天板(24)の凹部(241) の中心から前側のコーナ部の方向に偏位した位置（更に具体的には前記コーナ部の近傍）には中能力の前バーナ(3b)と大能力の前バーナ(3c)のバーナヘッド(31b) (31c) が位置していると共に、上記凹部(241) の中心から後方に偏位した位置には小能力の後ろバーナ(3a)のバーナヘッド(31a) がコンロ横方向の中央部に位置している。
【００２１】
尚、本実施の形態に係るドロップインコンロ(2) では、天板(24)の凹部(241) の前側のコーナ部近傍に位置するバーナヘッド(31b) (31c) を具備する前バーナ(3b)(3c)から天板(24)等に与える熱的悪影響のみを考慮して上記遮熱板(54)(54)を設けている。後ろバーナ(3a)のバーナヘッド(31a) と天板(24)の後縁の距離は後述するように大きいと共に、上記後ろバーナ(3a)の能力は小さいことから、これによる天板(24)の加熱を余り考慮する必要がないからである。
［五徳(5) について］
図１，図２及び図４に示すように、上記天板(24)に載置される五徳(5) は、軽量化を図って洗浄時等に於ける取扱を容易にする為に前五徳(56)と後ろ五徳(57)に分割されており、従って、五徳(5) の枠体も前枠体(560) と後ろ枠体(570) に分割されている。又、これら前後の前枠体(560) (570) は鉄板を打抜加工及び絞り加工して形成された矩形状の外周輪郭を有し、その頂部には爪片(51)(51)が連設されている。
＊前五徳(56)について＊
前五徳(56)を構成する前枠体(560) は、全体として横長の長方形に形成されていると共に、その中央部には該前枠体(560) 内を横方向に区画してバーナ収容部(43)(44)を形成する為の中央区画桟(41)が設けられている。又、上記前枠体(560) の頂面には、上記バーナ収容部(43)(44)の中心に向けて延びる爪片(51)(51)が連設されている。
【００２２】
上記前枠体(560) のコンロ前部側の前辺部材(47)とその両端に続く左右一対の側辺部材(48)(48)には、前バーナ(3b)(3c)のバーナヘッド(31b) (31c) の側面に対向する平面Ｌ字状の遮熱板(54)が設けられている。即ち、図３及び図４に示すように、前枠体(560) の内縁には、天板(24)の内周起立壁(242) の前辺たる前壁部(249) とこれの端部から直角に屈曲する方向に延びる横辺たる側壁部(248) に所定間隔を置いて対向する遮熱板(54)が連設されていると共に、該遮熱板(54)の下端は前バーナ(3b)(3c)の炎孔(32)より下方まで延びる長さを有している。即ち、天板(24)の凹部(241) を構成する内周起立壁(242) の内、該凹部(241) の前側の左右コーナ部近傍に対向する部分にのみ遮熱板(54)(54)が設けられた状態になっている。これにより、中央区画桟(41)や後述する後辺部材(49)には遮熱板(54)が設けられていない分だけ、前五徳(56)の軽量化が図れる。
【００２３】
又、前枠体(560) の側辺部材(48)(48)及び前辺部材(47)は、その外縁が下方内側に巻き込まれたカーリング部(470) (480) と成っている。
又、前枠体(560) の後辺部材(49)は、図４に示すように下方に開放するコ字状断面を有している。又、図３に示すように、前枠体(560) の中央区画桟(41)も上記後辺部材(49)と同様、下方に開放するコ字状断面を有している。
【００２４】
更に、前枠体(560) の前辺部材(47)及び側辺部材(48)(48)の頂面よりも後辺部材(49)及び中央区画桟(41)の頂面の方が低くなっており、側辺部材(48)(48)の後端近傍から後辺部材(49)に繋がる境界部(66)(66)と中央区画桟(41)の前端近傍から前辺部材(47)に繋がる境界部(66)は所定の勾配を有する傾斜面となっている。
＊後ろ五徳(57)について＊
後ろ五徳(57)を構成する後ろ枠体(570) は、全体として横長の長方形に形成されていると共に、該後ろ枠体(570) には、その内部を横方向に３つに区画して中央のバーナ収容部(42)とその両脇のサイドスペース(45)(45)を形成する為の区画桟(40)(40)が所定間隔を置いて設けられており、該後ろ枠体(570) の頂面には上記バーナ収容部(42)の中心に向けて延びる爪片(51)(51)が連設されている。
【００２５】
又、図４に示すように後ろ枠体(570) の区画桟(40)(40)の頂面は前五徳(56)の後ろ辺(49)の頂面と同一高さになっている。
尚、後ろ五徳(57)を構成する後ろ枠体(570) の下端周縁には既述遮熱板(54)は設けられていない。
［カウンタートップ(11)への組みつけ作業］
このものでは、システムキッチンのカウンタートップ(11)に形成された装着口(12)に、ドロップインコンロ(2) の本体ケース(20)の胴部(20a) を落とし込むと共に、該本体ケース(20)の上端外周に張り出す吊下げフランジ(23)を装着口(12)の周縁に上方から係合させ、その後、本体ケース(20)の上端開口に天板(24)を被蓋する。すると、図３，図４に示すように、天板(24)の底壁(240) に開設されたバーナ挿通孔(25)(25)が前バーナ(3b)(3c)と後ろバーナ(3a)のバーナヘッド(31a) (31b) (31c) に外嵌した状態になる。次に、調理時に於ける煮こぼれが上記バーナ挿通孔(25)内に侵入するのを防止する為のカバーリング(28)(28)を各バーナ(3a)(3b)(3c)のバーナヘッド(31a) (31b) (31c) に外嵌し、その後、天板(24)内の後部近傍に形成された排気筒用開口(247) を通気性カバー(29)で被蓋し、更に、天板(24)の内周起立壁(242) の上部に形成された段部(22)に前五徳(56)の前枠体(560) と後ろ五徳(57)の後ろ枠体 (570)を載置する。すると、図３，図４に示すように、前五徳(56)の前辺部材(47)及び側辺部材(48)(48)から垂下する遮熱板(54)(54)が、天板(24)の凹部(241) の内周起立壁(242) を構成する前壁部(249) と側壁部(248) (248) であって前バーナ(3b)(3c)に対応する部分に向い合う部位に位置し、又、前記遮熱板(54)(54)の下端は前バーナ(3b)(3c)の炎孔(32)より下方に位置する。これにより、ドロップインコンロ(2) がシステムキッチンのカウンタートップ(11)に装着された状態になる。
【００２６】
又、この状態では前五徳(56)の後辺(49)や中央区画桟(41)と天板(24)の底板(240) との間に上下の間隙が形成された状態になる。
［動作の実際について］
図４に示すコンロ装着状態において、コンロ前面の操作つまみ(27)を操作すると、バーナヘッド(31b) (31c) の炎孔(32)からガスが噴出すると共に、図示しない点火装置が作動して燃焼動作が開始する。すると、天板(24)の下方→天板(24)の内周起立壁(242) の吸気孔(26)→遮熱板(54)と内周起立壁(242) の間隔部→遮熱板(54)の下端→バーナヘッド(31b) (31c) の炎孔(32)と繋がる経路で燃焼用の二次空気が供給され、これにより、前バーナ(3b)(3c)の燃焼が継続する。
【００２７】
上記燃焼時に炎孔(32)に炎(F) が形成されると、該炎(F) からの輻射熱は、遮熱板(54)で遮断されるから、天板(24)の内周起立壁(242) における前記遮熱板(54)の対向部には前記輻射熱が直接的に照射されることがない。従って、内周起立壁(242) に於ける遮熱板(54)の対向部、即ち、前バーナ(3b)(3c)の炎(F) で最も加熱され易い部分の温度上昇が抑えられ、これにより、カウンタートップ(11)に高い熱が伝達されにくくなり、該カウンタートップ(11)への熱的悪影響を抑えることができる。又、前バーナ(3b)(3c)の燃焼時には、上記遮熱板(54)とこれに対向する内周起立壁(242) の間にはバーナ燃焼用の二次空気が流れて熱が籠らないから、天板(24)の温度上昇を一層確実に抑えることができ、従って、カウンタートップ(11)の装着口(12)の周縁が一層熱的悪影響を受けにくく成る。
【００２８】
一方、図２に示すように、コンロ装着状態においては、後ろ五徳(57)を構成する後ろ枠体(570) の後縁と天板(24)の後縁(200) との距離Ｌ1 は、前五徳(56)の前枠体(560) の前縁と天板(24)の前縁(201) の距離Ｌ2 に比べて大きくなると共に、後ろ枠体(570) の後縁と天板の後縁(200) の間には天板(24)に形成された排気筒用開口(247) が位置している。又、後ろ五徳(57)のバーナ収容部(42)内に位置する後ろバーナ(3a)の能力は小さいことから、天板(24)の後縁(200) は比較的高温になりにくい。即ち、上記小能力の後ろバーナ(3a)によって天板(24)の後縁(200) が加熱昇温される不都合は殆どない。又、天板(24)の凹部(241) の内周起立壁(242) を構成する側壁部(248) (248) と後ろバーナ(3a)の距離も比較的大きいから、前記側壁部(248) (248) と後ろバーナ(3a)の間に遮熱板(54)がなくても該側壁部(248) (248) が後ろバーナ(3a)で過熱される心配が少なく、従って、天板(24)の側縁(209) が後ろバーナ(3a)で加熱昇温される不都合も少ない。又、後ろバーナ(3a)の能力は小さく設定されている。従って、この点からも、上記側壁部(248) (248) が後ろバーナ(3a)で過熱される心配が少なくなり、これら側壁部(248) (248) と後ろバーナ(3a)の間に遮熱板(54)が設けられていなくても、上記天板(24)の側縁(209) が加熱昇温する心配が一層少なくなる。
【００２９】
尚、上記実施の形態では、図２に示すように、平面視Ｌ字状に走行している遮熱板(54)(54)の該走行方向両端縁が前枠体(560) の内面から直角に起立突出しているが、前記遮熱板(54)(54)の前記走行方向両端縁が前枠体(560) の内面に対して滑らかに繋がるようにしてもよい。洗浄に使用する摺擦具が遮熱板(54)(54)の前記両端に引っ掛からないようにするためである。
【００３０】
尚、後ろ枠体(570) には遮熱板(54)が設けられていないことは図１等に示す実施の形態のものと同様である。
又、上記実施の形態では、各前バーナ(3b)(3c)に対応する各遮熱板(54)(54)は互いに分離しているが、図６に示すように、前枠体(560) の一方の側辺部材(48)→前辺部材(47)→他方の側辺部材(48)と続く範囲で連続する単一の遮熱板(54)を形成してもよい。従って、このものでは、上記遮熱板(54)は中央区画桟(41)の下方を走行する態様で延びている。このものでは、前五徳(56)を構成する前枠体(560) は、その後辺部材(49)の中央部(490) のみが低くなっており、該中央部(490) の上面は、後ろ五徳(57)を構成する後ろ枠体(570) の前辺部材(59)の中央部(590) の上面と同一高さになっている。又、前後の五徳(56)(57)を構成する前枠体(560) と後ろ枠体(570) の上面であって上記中央部(490) (590) 以外の部分も、これら前後の五徳(56)(57)に於いて相互に同一高さになっている。
【００３１】
又、上記実施の形態では、前五徳(56)は全体が一体的に形成されているが、該前五徳(56)を、その中央で横方向に二分割してもよい。かかる場合は、分割した各単位五徳は、全体が一体形成された前五徳(56)より軽くなり、洗浄時の取扱いが一層容易に行える。
更に、上記実施の形態では後ろバーナ(3a)を小能力のものとしたが、これを中能力又は大能力のバーナとしてもよい。後ろバーナ(3a)から内周起立壁(242) の側壁部(248) (248) までの距離が比較的大きく、該側壁部(248) (248) が加熱昇温する心配が少ないからである。
【００３２】
又、後ろバーナ(3a)が小能力のものである場合は、これを、天板(24)の凹部(241) の中央部からコンロ横方向に偏位する位置に配設してもよい。能力が小さい故に後ろバーナ(3a)近傍の外周起立壁(242) が加熱昇温する心配が少ないからである。
又、上記実施の形態では、五徳(5) を前五徳(56)と後ろ五徳(57)に前後二分割しているが、二分割することなく五徳(5) 全体を一体的に形成してもよい。
【００３３】
更に、上記実施の形態では、天板(24)に形成した共通の凹部(241) に各バーナ(3a)(3b)(3c)を収容しているが、後ろバーナ(3a)を収容する凹部と前バーナ(3b)(3c)を収容する凹部を別々に天板上面に形成してもよい。
［第２番目の実施の形態］
図５に示す第２番目の実施の形態は、帯板を平面視矩形状に曲成した五徳枠(50)の上辺に爪片(51)(51)を連設して五徳(5) を形成し、該五徳(5) を、遮熱板(54)を具備する遮熱板用枠体(500) （既述した前五徳(56)の前枠体(560) と同じ態様で前バーナ(3b)(3c)を包囲する平面形状を有している。）に取り外し自在に載置したものである。このものでは、天板(24)の上部内周に周設された段部(58)に遮熱板用枠体(500) を取り外し自在に載置する。このものでは、五徳(5) は、上記第１番目の実施の形態と同様にコンロ後部側の小能力の後ろバーナ(3a)に対応するものと、コンロ前部側の前バーナ(3b)(3c)に対応するものに、前後二分割しても良く、二分割することなく五徳(5) 全体を一体形成してもよい。又、遮熱板用枠体(500) も、上記二分割した各五徳に各別に対応するように前後に二分割してもよいし、分割することなく全体を一体的に形成してもよい。
【００３４】
このものでは、五徳(5) と独立した遮熱板用枠体(500) に遮熱板(54)を具備させている点を除いて、既述した第１番目の実施の形態と同様に構成されている。
本実施の形態のものでは、五徳(5) が遮熱板用枠体(500) と分離可能に構成されているから、遮熱板(54)を具備する特別な五徳(5) を製作する必要がなく、既存の五徳(5) を利用できる利点がある。
【図面の簡単な説明】
【図１】本願発明の第１番目の実施の形態に係るドロップインコンロ(2) の分解斜視図
【図２】本願発明の第１番目の実施の形態に係るドロップインコンロ(2) の平面図
【図３】図２に於けるＩＩＩ−ＩＩＩ線の部分断面図
【図４】図２に於けるＩＶ−ＩＶ線の部分断面図
【図５】本願発明の第２番目の実施の形態に係る要部断面図
【図６】第１番目の実施の形態に於ける五徳(5) の変形例の説明図
【図７】従来例の説明図
【符号の説明】
(3a)・・・後ろバーナ
(3b)(3c)・・・前バーナ
(11)・・・カウンタートップ
(12)・・・装着口
(20)・・・本体ケース
(24)・・・天板
(54)・・・遮熱板
(241) ・・・凹部
(242) ・・・内周起立壁
【図１】
0003703950.tif 000002
【図２】
0003703950.tif 000003
【図３】
0003703950.tif 000004
【図４】
0003703950.tif 000005
【図５】
0003703950.tif 000006
【図６】
0003703950.tif 000007
【図７】
0003703950.tif 000008